(57)【要約】【課題】本発明の課題は、わざわざ予め容器や巻取用具を別途準備することなく、個々の電気コードのコンセントごとに備えられる巻取具とこれを備えた電線コード巻取具付コンセントを提供することである。【解決手段】本発明の電線コード巻取具とこれを備えた電線コード巻取具付コンセントは、電線コードを巻きつけるための、コンセント自体に常時備えられる１対以上の突起を有する電線コード巻取具であって、これを差込口存在面とは直角の側面に所定間隔離して備えたコンセントである。【選択図】図１
2013004372.tif 000002
【特許請求の範囲】
【請求項１】
コンセント筐体のプラグ差込口がある差込口存在面とは直角の側面に所定間隔離して備えられ、前記コンセントに接続した余分な長さの電線コードを巻いて保持するための突起の対をもつことを特徴とするコンセント用電線コード巻取具。
【請求項２】
前記突起の形状は、コの字形、又はＬ字形、又は、平面又は曲面を有する切片形のいずれかであることを特徴とする請求項１記載のコンセント用電線コード巻取具。
【請求項３】
コンセントに接続した余分な長さの電線コードを巻いて保持するための１対以上の突起をコンセント筐体のプラグ差込口がある差込口存在面とは直角の側面に互いに所定間隔離して備えられるコンセント用電線コード巻取具を有することを特徴とする電線コード巻取具付コンセント。
【請求項４】
前記電線コード巻取具は、コンセント筐体に備えられた状態で、取り付け部において、所定の回転軸の周りに回転可能に取り付けられているか、又は前記筐体に対して抜き差し可能に取り付けられていることによって、前記電線コードを巻き取らない場合に前記突起が前記筐体に収納されることを可能にしたことを特徴とする請求項３記載の電線コード巻取具付コンセント。
【請求項５】
前記電線コードを巻き取った状態で解けないように前記電線コードを保持するために挟み込む電線コード押さえ具を有することを特徴とする請求項３又は請求項４に記載の電線コード巻取具付コンセント。
【発明の詳細な説明】
【技術分野】
【０００１】
本発明は、コンセントが接続した余長の電線コードを巻き取り短く整理するための、コンセントに付設する電線コード巻取具とこれを備えた電線コード巻取具付コンセントに関するものである。
【背景技術】
【０００２】
従来、コンセントの余長の電線コードは、長いまま使用すると足で引っ掛けたり、発熱の原因になる等の危険性が言われてきた。そのような中でも、つい長い電線コードを放置してそのまま使ったりもしていたが、その解決手段としていくつかの提案があった。
大きく分けて、2つに分けられ、１は、電気コードを収納容器に入れ、収納容器以外はすっきり見える提案であり、２は溝などを持った巻き取りのための用具を提案するものである。
１の例としては、特許文献１、特許文献２があり、２の例としては、特許文献３、特許文献４、特許文献５に見ることが出来る。
然しながら、このような容器や巻取用具をわざわざ使用現場に準備しておくことは、面倒なので、使われないことが多くあった。
【先行技術文献】
【特許文献】
【０００３】
【特許文献１】特開２０１０−７４９２５
【特許文献２】特開平９−２９３９７８
【特許文献３】特開２００７−１３１３６７
【特許文献４】特開２００７−６９９７８
【特許文献５】特開２００５−１８８０
【発明の概要】
【発明が解決しようとする課題】
【０００４】
本発明の課題は、わざわざ予め容器や巻取用具を別途準備することなく、個々の電気コードのコンセントごとに備えられる巻取具とこれを備えた電線コード巻取具付コンセントを提供することである。
【課題を解決するための手段】
【０００５】
本発明の電線コード巻取具とこれを備えた電線コード巻取具付コンセントは、電線コードを巻きつけるための、コンセント自体に常時備えられる１対以上の突起を有する電線コード巻取具であって、これを差込口存在面とは直角の側面に所定間隔離して備えたコンセントであることを特徴とする。
【０００６】
請求項１記載の発明は、コンセント用電線コード巻取具であって、コンセント筐体のプラグ差込口がある差込口存在面とは直角の側面に所定間隔離して備えられ、前記コンセントに接続した余分な長さの電線コードを巻いて保持するための突起の対をもつことを特徴とする。
【０００７】
請求項２記載の発明は、請求項１記載のコンセント用電線コード巻取具において、前記突起の形状は、コの字形、又はＬ字形、又は、平面又は曲面を有する切片形のいずれかであることを特徴とする。
【０００８】
請求項３記載の発明は、電線コード巻取具付コンセントであって、コンセントに接続した余分な長さの電線コードを巻いて保持するための１対以上の突起をコンセント筐体のプラグ差込口がある差込口存在面とは直角の側面に互いに所定間隔離して備えられるコンセント用電線コード巻取具を有することを特徴とする。
【０００９】
請求項４記載の発明は、請求項３記載の電線コード巻取具付コンセントにおいて、前記電線コード巻取具は、コンセント筐体に備えられた状態で、取り付け部において、所定の回転軸の周りに回転可能に取り付けられているか、又は前記筐体に対して抜き差し可能に取り付けられていることによって、前記電線コードを巻き取らない場合に前記突起が前記筐体に収納されることを可能にしたことを特徴とする。
【００１０】
請求項５記載の発明は、請求項３又は請求項４に記載の電線コード巻取具付コンセントにおいて、前記電線コードを巻き取った状態で解けないように前記電線コードを保持するために挟み込む電線コード押さえ具を有することを特徴とする。
【発明の効果】
【００１１】
以上の様に構成されているので、本発明のコンセント用電線コード巻取具とこれを備えた電線コード巻取具付コンセントにおいては、電線コード巻取具がコンセントに備えられるので、コンセントとは別途、余長コード巻き取り具や容器を備える必要もなく現場での利用がなされ、電線コードを整理した形で安全管理がなされる。
【図面の簡単な説明】
【００１２】
【図１】本発明によるコンセント用電線コード巻取具とこれを備えた電線コード巻取具付コンセントの一実施態様を示す図である。
【図２】本発明による本発明のコンセント用電線コード巻取具とこれを備えた電線コード巻取具付コンセントの別の一実施態様を示す図である。
【発明を実施するための形態】
【００１３】
本発明によるコンセント用電線コード巻取具とこれを備えた電線コード巻取具付コンセントであって、電線コードを巻きつけるための、コンセント自体に常時備えられる１対以上の突起を有する電線コード巻取具であって、これを差込口存在面とは直角の側面に所定間隔離して備えたコンセントを提供できる。以下、実施例で説明する。
【００１４】
図１は、本発明による電線コード巻取具とこれを備えた電線コード巻取具付コンセントの一実施態様を示す図である。
１−Ａにおいて、プラグ１０１が先端についた電線コード１０２がコンセント１０３についていて、電線コード１０２が余分な長さとなっている。コンセント１０３のプラグ差込口１０４がある差込口存在面１０５を表面に見て、側面、特に電線コード１０２の引き出しが無いコンセント筐体の側面１０６には、所望の巻き取り間隔だけ離した状態で１対以上の巻取具１０７が、巻取具１０７と側面１０６とで電線コード１０２が保持されるように取り付けられている。巻取具１０７の取り付け間隔は、コンセント１０３の長手方向に出来るだけ離した方が、巻き取り回数が少なくて巻いた状態でコンパクトになるので都合がよい。巻取具１０７は、図に示されるように巻きつける電線コード１０２を支える必要な長さの突起１０８を有している。
【００１５】
１−Ｂにおいて、１−Ａの電線コード巻取具付コンセントに余長の電線コード１０２を巻いた状態を示している。この例では、二つの突起１０８の間の凹み１０９に電線コード１０２を入れて、側面１０６に沿って複数の巻取具１０７を使い巻き取っている。この例では、巻きとった電線コード１０２を解けないように押さえるコード押さえ具１１０が備えられ、電線コード１０２が挟まれるように固定されている。コード押さえ具１１０は、簡単には、板バネと側面１０６で構成すればよい。他に、Ｕ字形の腕で電線コード１０２を支えるコード押さえ具などいろいろ考えられる。
【００１６】
１−Ｃにおいて、ここでは、巻取具１０７が、回転軸１１１の周りに回転を可能としたものである。回転されて側面１０６の外側に突起１０８が出ていない状態を示している。電線コード１０２が余長の状態でないなど巻き取りを行わない場合に、コンパクトに出来る利点がある。
【００１７】
１−Ｄにおいて、１−Ａから１−Ｃのものでは、電線コードの巻取具１０７が既存のコンセントに付設される構成であったが、１−Ｄにおいては、コンセントの筐体１１２そのものが巻取具の突起構造を有している場合である。コンセントの筐体は一般に樹脂成形されているが、電線コード１０２の巻き取り用の突起部１１３も同時に一体形成されている。
【００１８】
１−Ｅにおいて、１−Ａの電線コード巻取具付コンセントに使用する電線コード巻取具の例を示している。二つの突起１０８を持つコの字型の巻取片１１４を二組示している、両者は、１−Ａに示すようにコンセントの筐体に取り付けるものであるが、この例では、コンセントの側面壁に空けられた図示されない穴に棒１１５を通し、ねじ１１６を閉めることで、固定できるものを示している。勿論他の手段による固定も可能である。尚、巻取片１１４で電線コード１０２が接触する部分にゴムやスポンジなどで接触を和らげる接触緩衝体１１７を設けてもよい。
【００１９】
図２は、本発明による電線コード巻取具とこれを備えた電線コード巻取具付コンセントの別の一実施態様を示す図である。２−Ａにおいて、電線コード１０２を有するコンセント１０３の差込口存在面１０５を表面に見たコンセント筐体の側面１０６には、Ｌ字型のフック２０１が所望の間隔だけ離して備えられている。Ｌ字型は、筐体の側面１０６と相まって、巻きつけられる電線コードを保持する役目を行うところの図１における突起又は突起部になっている。この例では、更にＬ字型フック２０１は、側面１０６への取り付け部において、側面１０６の中に移動自在に作られているため、巻取具を使わないときは、コンセントの内側や差込口存在面１０５の裏側の面に挿入することで、収納可能となっている。
【００２０】
２−Ｂにおいて、電線コード１０２を有するコンセント１０３の差込口存在面１０５を表面に見たコンセント筐体の側面１０６には、切片２０２が所望の間隔だけ離して備えられている。切片２０２は、筐体の側面１０６と相まって、巻きつけられる電線コードを保持する役目を行うところの図１における突起又は突起部になっている。この例では、回転軸２０３の周りに切片２０２が回転し、切片２０２が側面１０６の側に回転したときには、２−Ｄのようになっていて、切片２０２を電線コード１０２の巻き取りに使用しないときの切片の収納を可能としている。電線コード１０２の巻き取りに使用する場合は、切片を開くと、２−Ｂのように開いて止まる。例えば４５度で開きはとまるようになっている。２−Ｃにおいて電線コード１０２を切片２０２と筐体の側面１０６の間で保持するように巻きつけ、更に便利なものとした、解けを防止するため、コード押さえ具１１０が備えられ保持されている。
尚、切片２０２の形状は、Ｌ次フックのように直角に曲がった状態から平板の間で、適当な曲面が可能である。
【産業上の利用可能性】
【００２１】
以上のように本発明に係る電線コード巻取具とこれを備えた電線コード巻取具付コンセントでは、コンセント自体にプラグ差込口へのプラグの抜き差しに影響がないように、差込口存在面１０５ではないコンセント筐体側面に常時備えられる電線コード巻取具であり、これを備えた電線コード巻取具付コンセントであるので、わざわざ別途用意される巻取り具や容器と違い、産業上利用性が極めて大きい。
【符号の説明】
【００２２】
１０１  プラグ
１０２  電線コード
１０３  コンセント
１０４  プラグ差込口
１０５  差込口存在面
１０６  側面
１０７  巻取具
１０８  突起
１０９  凹み
１１０  コード押さえ具
１１１  回転軸
１１２  筐体
１１３  突起部
１１４  巻取片
１１５  棒
１１６  ねじ
１１７  接触緩衝体
２０１  Ｌ字型フック
２０２  切片
２０３  回転軸
【図１】
2013004372.tif 000003
【図２】
2013004372.tif 000004